(57)【要約】【課題】木製槽体の槽体内部の各隅部に掃除や維持管理に不便で、デザイン的にも硬い感じがする直角隅部をなくすと共に、その加工も容易に行え、更に水密性にも優れた木製槽体の提供を課題とする。【解決手段】側壁１と底壁２とで構成する木製槽体１０であって、槽体１０内部の側壁１ａと側壁１ｂ、側壁１と底壁２とが接合するそれぞれの壁の接合隅部に凹状溝を形成し、該凹状溝に対して槽体内部に現れる接合隅部の形状が滑らかな面となるコ−ナ−材３、４をパッキンと組み合わせて嵌合させ、前記凹状溝を形成した位置とは別の位置で、側壁１ａと側壁１ｂ、側壁１と底壁２とを止め金具で固定することにより前記接合隅部を水密に組み立てた。また側壁１の対応部分に傘木５と隅傘木６を設けている。【選択図】      図１
0003126724.tif 000002
【実用新案登録請求の範囲】
【請求項１】
側壁と底壁とで構成する木製槽体であって、槽体内部の側壁と側壁、側壁と底壁とが接合するそれぞれの壁の接合隅部に、該接合隅部に形成される直角形状を解消するコーナー材を接合したことを特徴とする木製槽体。
【請求項２】
接合隅部の２枚の壁が接合する部分に凹状溝を形成し、該凹状溝に対して槽体内部に現れる接合隅部の形状が滑らかな面となるコ−ナ−材をパッキンと組み合わせて嵌合させ、前記凹状溝を形成した位置とは別の位置で、側壁と側壁、側壁と底壁とを止め金具で固定することにより前記接合隅部を水密に組み立てたことを特徴とする請求項１に記載の木製槽体。
【請求項３】
側壁と底壁とで構成する箱型の木製槽体において、槽体の側壁頂部を覆う傘木を設けると共に、縦コーナー材の頂部を覆う隅傘木を設け、且つ前記傘木と隅傘木とを相互に嵌め合わせて一体化してあることを特徴とする木製槽体。
【請求項４】
木製槽体の側壁頂部に傘木を設ける木製槽体において、側壁を嵌入する傘木の溝に、頭部に突起を有する傘木止めを嵌入する溝を更に設け、傘木と傘木止めとを組み合わせて側壁の上部に嵌合し、傘木止めを木ネジ等で側壁に固定することで傘木を固定していることを特徴とする請求項３に記載の木製槽体。
【考案の詳細な説明】
【技術分野】
【０００１】
本願考案は、木製の側壁や底壁等の構造部材を組み合わせて形成される木製槽体に関する。
【背景技術】
【０００２】
図１６に従来の箱形の木製槽体を示す。木製槽体３０は、幅広の厚板を並べて板盤状に結合したものを側壁や底壁とし、これらを組み合わせて箱形とし、槽体内部の隅部は直角形状とされている。また桶に於いても、側壁と底壁との内部接合隅部は、ほぼ直角形状であるものが一般的であった。この従来の木製槽体の場合には、側壁と底壁との内部接合隅部の直角形状部分の清掃、維持管理が面倒であるという問題があった。
一方、特開平５−１８４４７６号公報には耐久性に優れた木製浴槽が、また特開２００１−３０９８６４号公報には漏れのない木製浴槽が、また特開平６−２５３９９３号公報には隅角部にアール面を形成した木製風呂が、更に実開平６−２７２号公報には浴槽内の隅部を湾曲加工した木製浴槽が提供されている。
【特許文献１】特開平５−１８４４７６号公報
【特許文献２】特開２００１−３０９８６４号公報
【特許文献３】特開平６−２５３９９３号公報
【特許文献４】実開平６−２７２号公報
【考案の開示】
【考案が解決しようとする課題】
【０００３】
上記特許文献１に示す木製浴槽は、接合部分での隙間の発生を防止することができるが、浴槽内部の各隅部が直角に交わるため、ホコリや汚れ、水垢、ヌメリ等が付着し易く、清掃が非常に面倒で、維持管理も十分に行うことができず、デザイン的にも硬い感じがするという問題があった。また上記特許文献２、３、４に示すような木製浴槽等は、浴槽内部の各隅部がアールや湾曲形状をなしており、直角形状ではないので清掃、維持管理が容易に行えるが、何れも浴槽内部の各隅部が別部材を接合等した構成とはなっておらず、浴槽内部の各隅部をアール等にする加工に手間がかかるという問題があった。
【０００４】
そこで本考案は上記従来の問題点を解消し、木製槽体の槽体内部の各隅部に掃除や維持管理に不便で、デザイン的にも硬い感じがする直角隅部をなくすと共に、その加工も容易に行え、更に水密性にも優れた木製槽体の提供を課題とする。
【課題を解決するための手段】
【０００５】
上記課題を達成するための本考案の木製槽体は、側壁と底壁とで構成する木製槽体であって、槽体内部の側壁と側壁、側壁と底壁とが接合するそれぞれの壁の接合隅部に、該接合隅部に形成される直角形状を解消するコーナー材を接合したことを第１の特徴としている。
【０００６】
また本考案の木製槽体は、上記第１の特徴に加えて、接合隅部の２枚の壁が接合する部分に凹状溝を形成し、該凹状溝に対して槽体内部に現れる接合隅部の形状が滑らかな面となるコ−ナ−材をパッキンと組み合わせて嵌合させ、前記凹状溝を形成した位置とは別の位置で、側壁と側壁、側壁と底壁とを止め金具で固定することにより前記接合隅部を水密に組み立てたことを第２の特徴としている。
【０００７】
また本考案の木製槽体は、側壁と底壁とで構成する箱型の木製槽体において、槽体の側壁頂部を覆う傘木を設けると共に、縦コーナー材の頂部を覆う隅傘木を設け、且つ前記傘木と隅傘木とを相互に嵌め合わせて一体化してあることを第３の特徴としている。
【０００８】
また本考案の木製槽体は、上記第３の特徴に加えて、木製槽体の側壁頂部に傘木を設ける木製槽体において、側壁を嵌入する傘木の溝に、頭部に突起を有する傘木止めを嵌入する溝を更に設け、傘木と傘木止めとを組み合わせて側壁の上部に嵌合し、傘木止めを木ネジ等で側壁に固定することで傘木を固定していることを第４の特徴としている。
【考案の効果】
【０００９】
請求項１に記載の木製槽体によれば、側壁と底壁が木製部材で構成されていることから、木という天然素材が持つ香気、弾性、肌触り、温もり、保温性等を生かした槽体とすることができる。また槽体内部の側壁と側壁、側壁と底壁とが接合するそれぞれの壁の接合隅部に、コーナー材を接合する構成としているので、接合隅部に形成される直角形状部分をコーナー材で覆うことになり、槽体内部の接合隅部の直角形状を解消することができる。これにより接合隅部に形成される直角形状部分へのホコリや汚れ、水垢、ヌメリ等の付着が防止され、清掃や維持管理を容易に行うことができる。
またデザイン的にも柔らかな印象を与えることができる。
【００１０】
請求項２に記載の木製槽体によれば、接合隅部の２枚の壁が接合する部分に凹状溝を形成し、凹状溝にコーナ材を嵌合する構成としているので、各接合隅部に接合するコーナー材は凹状溝へ嵌合することで２枚の壁で挟み込まれて密着固定されることになる。こうすることでコーナー材と側壁、又はコーナー材と底壁との接合を木ネジ等を使用しなくても簡易に行うことができる。
また槽体内部に現れる各接合隅部が滑らかな面となるように各接合隅部に接合するコーナー材を凹状溝へ嵌合する構成としているので、槽体内部に現れる接合隅部が直角形状とならず、接合隅部の清掃や維持管理を容易に行うことができる。更に槽体内部の各隅部が滑らかな面となることで、槽体内部における湯水等の液体の対流がスムーズになり、手等で槽体内部をかき混ぜること等によって槽体内部の湯水等の液体の温度を均一にさせ易くすることができる。
また凹状溝を形成した位置とは別の位置で、壁と壁との接合面を止め金具等によって締め付け固定して組み立てる構成としているので、弾性力により、壁と壁との接合部に加えて、壁とコ−ナ−材との接合部にも締付圧力が加わり、水密機能部が形成されて、隅部の水密性能を向上させることができる。更にコ−ナ−材をパッキンと組み合わせて嵌合させる構成としていることから、パッキンの弾性力により、上記締付圧力での密着を更に強固に行うことができる。
【００１１】
請求項３に記載の木製槽体によれば、槽体の側壁頂部を覆う傘木を設けた構成としているので、縦コーナー材の接合部を除く側壁頂部へのホコリや汚れの付着が防止され、清掃や維持管理を容易に行うことができる。また縦コーナー材の接合部を除く側壁頂部が湯水等の液体に直接触れることがないことから、水垢、ヌメリ等の付着を防止することができ、また腐りや反りを防止することができる。また水圧により側壁が横開きするのを防ぐ補強材ともなる。
更に木製槽体の縦コーナー材の接合部を除く上部を傘木で被覆することができ、外観上も美しい。
【００１２】
また縦コーナー材の接合部分においては、側壁頂部と縦コーナー材頂部を覆う隅傘木を設けた構成としているので、側壁頂部及び縦コーナー材頂部へのホコリや汚れの付着が防止され、清掃や維持管理を容易に行うことができる。また側壁頂部及び縦コーナー材頂部が湯水等の液体に直接触れることがないことから、水垢、ヌメリ等の付着を防止することができ、また腐りや反りを防止することができる。また水圧により側壁が横開きするのを防ぐ補強材ともなる。
更に木製槽体の縦コーナー材接合部の上部を傘木で被覆することができ、外観上も美しい。
また側壁対応部分の傘木と、縦コーナー材対応部分の隅傘木とに分けた構成としているので、側壁対応部分の傘木は側壁の長さ、形状等に合わせて、縦コーナー材対応部分の隅傘木は縦コーナー材の長さ、形状等に合わせて別々に加工することができ、加工作業の負担を軽減し作業効率を上げることができる。
また側壁対応部分の傘木と縦コーナー材対応部分の隅傘木とが一体となることで、水圧によりコーナー材や側壁が横開きするのを防ぐ強固な補強材ともなると共に、木製槽体の頂部全周を傘木と隅傘木で被覆することができ、外観上も美しい。
【００１３】
請求項４に記載の木製槽体によれば、木製槽体の頂部に傘木を設ける木製槽体において、側壁を嵌入する傘木の溝に、頭部に突起を有する傘木止めを嵌入する溝を更に設け、傘木と傘木止めとを組み合わせて側壁の頂部に嵌合し傘木を固定する構成としているので、傘木止めがある部分では、傘木の溝に傘木止めと側壁の上端部とが一体となって嵌入した状態で嵌合することができ、傘木と側壁との接合をより強固に行うことができる。また傘木止めを木ネジなどで側壁に固定することで傘木を固定する構成としていることから傘木と側壁と傘木止めとの嵌合による固定に加えて、傘木と側壁と傘木止めとの嵌合部にも締付圧力が加わり、傘木と側壁との接合を更に強固にすることができる。
【考案を実施するための最良の形態】
【００１４】
以下の図面を参照して、本考案の実施形態を説明する。
図１は本考案の実施形態を示す木製槽体の斜視図、図２は図１のＡ−Ａ断面図、図３は横コーナー材の寸法関係を説明する側面図、図４は側壁と底壁が接合する接合隅部の凹状溝付近の部分断面図、図５は図２のＤ部の拡大図、図６は図１のＢ部の拡大斜視図、図７は側壁と縦コーナー材との斜視図、図８は縦コーナー材の頭部斜視図、図９は隅傘木の裏面斜視図、図１０は傘木の裏面斜視図、図１１は傘木と隅傘木との組み合わせの変形例を示す斜視図、図１２は変形例における隅傘木の斜視図、図１３は変形例における傘木の裏面斜視図、図１４は図１のＣ部拡大断面斜視図、図１５は傘木止めの斜視図である。
【００１５】
図１に示すように、木製槽体１０は側壁１、底壁２、横コーナー材３、縦コーナー材４、側壁１に対応する傘木５、縦コーナー材４に対応する隅傘木６、傘木止め９とからなる。前記側壁１は木製槽体１０の側面を構成する部材であり、箱体の長手方向となる前後の側面を構成する側壁１ａと箱体の短手方向となる左右の側面を構成する側壁１ｂとからなる。何れの側面も一定の厚みのある板材を幅広面を接地面に対して垂直方向にし、複数枚を積層して側壁１を構成している。一定の厚みを有する構成とすることで、木製槽体１０内部に湯水等の液体を注入した場合に生じる水圧に耐えうる構成とすることができる。また幅広面を接地面に対して垂直方向にし、数枚を積層して側壁１を構成することで、側壁１を構成する板材の枚数を幅広面を接地面に対して水平方向にして積層する場合に比べて減少させることができ、コストを削減することができる。
【００１６】
前記底壁２は木製槽体１０の底面を構成する部材であり、一定の厚みのある板材を幅広面を接地面に対して水平方向に複数枚を張り合わせて構成している。一定の厚みを有する構成とすることで、木製槽体１０内部に湯水等の液体を注入した場合に生じる水圧に耐えうる構成とすることができる。また幅広面を接地面に対して水平方向にし、複数枚を張り合わせて底壁２を構成することで、底壁２を構成する板材の枚数を幅広面を接地面に対して垂直方向にして張り合わせる場合に比べて減少させることができ、コストを削減することができる。
【００１７】
また側壁１ａ、１ｂとの接合、側壁１ａ、１ｂと底壁２との接合は木ネジ等の止め金具で行うが、釘、耐水性接着剤等で行うことも可能である。また木ネジ等の止め金具の長さ、大きさ等は木製槽体１０に入れる液体の量や水圧等を考慮して自由に変えることができる。
また側壁１、底壁２を構成する板材の厚み、枚数、材質等は木製槽体１０の大きさ、内容物により自由に変えることができ、同時に木製槽体１０自体の形状も直方体状の箱型、多角形状の箱型等、用途に合わせて自由に変えることができる。
【００１８】
横コーナー材３は側壁１と底壁２とが接合する接合隅部に嵌合する部材であり、側壁１と底壁２が接合することによって生じる接合隅部の直角形状を覆う部材として用いるものである。横コーナー材３は前後の側壁１ａと底壁２とが接合する接合隅部に嵌合する横コーナー材３ａと、左右の側壁１ｂと底壁２とが接合する接合隅部に嵌合する横コーナー材３ｂとからなる。横コーナー材３で側壁１と底壁２とが接合する接合隅部を覆うことで、接合隅部に形成される直角形状が木製槽体１０の内面に直接現れない構成となることから、接合隅部に形成される直角形状部分へのホコリや汚れ、水垢、ヌメリ等の付着を阻止でき、清掃や維持管理を容易に行うことができる。
【００１９】
図２〜図５に示すように、側壁１と底壁２と横コーナー材３との嵌合は、側壁１と底壁２が接合する接合隅部に設けられた凹状溝２０に横コーナー材３を嵌合することにより行う。ここで、本実施例では横コーナー材３の断面形状を変形５角形としている。
図３と図４を参照して、横コーナー材３においてＧとＥの寸法をもつ面と凹状溝２０においてＧとＥ１の寸法をもつ面とを、また横コーナー材３においてＧとＭの寸法をもつ面と凹状溝２０においてＧ１とＭの寸法をもつ面とを、それぞれ合わせる。こうすることで側壁１と底壁２が接合することによって生じる接合隅部に形成される直角形状を横コーナー材３によって覆うことができる。
【００２０】
また木製槽体１０の内面には、図３に実線や２点鎖線で示される横コーナー材３の傾斜前面のみが現れ、且つ傾斜前面は平面Ｈか、緩やかなアール面３Ｈであることから、木製槽体１０の内面に現れる接合隅部が直角形状とはならず、木製槽体１０の内面に現れる接合隅部の清掃や維持管理を容易に行うことができる。
また木製槽体１０の内面に現れる各隅部が滑らかな面となることで木製槽体１０内部における湯水等の液体の対流がスムーズになり、手等で木製槽体１０内部をかき混ぜること等によって木製槽体１０内部の湯水等の液体の温度を均一にさせ易くすることができる。勿論、図３に２点鎖線で示すように、木製槽体１０の内面に現れる接合隅部、即ち横コーナー材３の傾斜前面の形状を滑らかな曲面３Ｈとすると、デザイン的にも柔らかくなる。
【００２１】
図５は図２のＤ部の拡大図で、側壁１と、底壁２と、横コ−ナ−材３とを組み合わせ、締付ネジ等の締付金具７によって側壁１と底壁２の接合部が十分締め付けられた状態を示し、側壁１と横コ−ナ−材３との接触面Ｋと側壁１と底壁２の接触面Ｊでは、Ｆの締付圧力で密着された状態とされる。
また横コ−ナ−材３の底面と凹状溝２０の上面との間にパッキン８を介在させる構成とすることにより、パッキン８の弾性力により、側壁１と横コ−ナ−材３との接触面Ｋと側壁１と底壁２の接触面Ｊでは、Ｆの締付圧力での密着を更に強固に行い、完全な水密状態を達成させることができる。
横コーナー材３と、凹状溝２０の各部寸法の関係は次の通りである。
Ｇ１−Ｇ＝Ｅ２
Ｅ１―Ｅ＝Ｅ２
ここで、Ｅ２は圧縮した状態のパッキン８の厚み寸法となる。
【００２２】
また横コーナー材３の材質は木製とするが、湯水等の液体による錆等に強い材質であればプラスチック製やゴム製等とすることも可能である。また横コーナー材３の断面形状も変形５角形である必要はなく、木製槽体１０の形状、側壁１、底壁２の接合角度、側壁１、底壁２に設ける凹状溝２０の形状等によって自由に変えることができるが、木製槽体１０の内面に現れる接合隅部の形状は滑らかな平面か、緩やかなアール面となることが望ましい。
【００２３】
図６〜図８を参照して、縦コーナー材４は前後の側壁１ａと左右の側壁１ｂとが接合する接合隅部に嵌合する部材であり、前後の側壁１ａと左右の側壁１ｂとが接合することによって生じる接合隅部の直角形状を覆う部材として用いられるものである。縦コーナー材４で前後の側壁１ａと左右の側壁１ｂとが接合する接合隅部を覆うことで、接合隅部に形成される直角隅部が木製槽体１０の内面に直接現れない構成となることから、接合隅部に形成される直角形状部分へのホコリや汚れ、水垢、ヌメリ等の付着を阻止でき、清掃や維持管理を容易に行うことができる。
【００２４】
前後の側壁１ａと左右の側壁１ｂと縦コーナー材４との嵌合は、側壁１と底壁２と横コーナー材３との嵌合について既述した図２〜図５を用いた説明において、底壁２を側壁１に置き変えることで、同様に嵌合することができる。即ち、側壁１ａ、１ｂ間の接合隅部に前記凹状溝２０と同様の凹状溝を構成し、それに縦コーナー材４を嵌め合わせ、締付金具７やパッキン８等を用いて嵌合することで、横コーナー材３を用いた場合と同様な水密状態にする構成とすることができる。
【００２５】
木製槽体１０の内面には縦コーナー材４の傾斜前面のみが現れ、木製槽体１０の内面に現れる接合隅部が直角形状とはならず、木製槽体１０の内面に現れる接合隅部の清掃や維持管理を容易に行うことができる。
また木製槽体１０の各隅部が滑らかな面となることで木製槽体１０内部における湯水等の液体の対流がスムーズになり、手等で木製槽体１０内部をかき混ぜること等によって木製槽体１０内部の湯水等の液体の温度を均一にさせ易くすることができる。勿論、木製槽体１０の内面に現れる接合隅部の形状を滑らかな曲面とすることもできる。
【００２６】
また縦コーナー材４の材質は木製とするが、湯水等の液体による錆等に強い材質であればプラスチック製やゴム製等とすることも可能である。また縦コーナー材４の断面形状も変形５角形である必要はなく、木製槽体１０の形状、側壁１ａ、１ｂの接合角度、側壁１ａ、１ｂに設ける凹状溝の形状等によって自由に変えることができるが、木製槽体１０の内面に現れる接合隅部の形状は滑らかな平面か緩やかなアール面となることが望ましい。
【００２７】
傘木５は側壁１の頂部に嵌合する部材であり、前後の側壁１ａの頂部に嵌合する傘木５ａと左右の側壁１ｂの頂部に嵌合する傘木５ｂとからなる。傘木５ａ、５ｂにより側壁１ａ、１ｂの縦コーナー材４との接合部を除いた頂部全体を覆う構成とすることができ、側壁１ａ、１ｂの縦コーナー材４との接合部を除いた頂部全体へのホコリや汚れの付着の軽減が図られ、清掃や維持管理を容易に行うことができる。
また側壁１ａ、１ｂの縦コーナー材４との接合部を除いた頂部全体が湯水等の液体に直接触れることがないことから水垢、ヌメリ等の付着を防止することができ、また腐りや反りを防止することができる。また水圧により側壁１ａ、１ｂが横開きするのを防ぐ補強材ともなる。
更に木製槽体１０の縦コーナー材４との接合部を除いた上部を傘木５で被覆することができ、外観上も美しい。
【００２８】
隅傘木６は縦コーナー材４の頂部に設けられる部材であり、隅傘木６により縦コーナー材４の頂部全体が覆われた構成となるので、縦コーナー材４の頂部全体へのホコリや汚れの付着の軽減が図られ、清掃や維持管理を容易に行うことができる。
また縦コーナー材４の頂部全体が湯水等の液体に直接触れることがないことから、水垢、ヌメリ等の付着の防止や腐りや反りを防止することができる。
更に前記傘木５ａ、５ｂと隅傘木６が嵌め合わされて一体化されることで、水圧により縦コーナー材４や側壁１が横開きするのを防ぐ強固な補強材ともなり、木製槽体１０の上部全周を傘木で被覆することができて外観上も美しい。
【００２９】
嵌合は、傘木５ａ、５ｂについては図６、図７、図１０に示すように、側壁１ａ、１ｂの頂部の木製槽体１０の内面側に断面視Ｌ字状の切欠部を設け、側壁１ａ、１ｂの頂部に全体として凸状の頭頂部を設ける。そして傘木５ａ、５ｂの側壁１ａ、１ｂとの嵌合面側に側壁１ａ、１ｂの頭頂部と同幅の溝５ｄ設け、側壁１ａ、１ｂの頭頂部を溝５ｄに嵌入することで嵌合する。
また隅傘木６については、図８と図９を参照して説明する。まず図８を参照して、縦コーナー材４の頂部の木製槽体１０の内面側に側面視Ｌ字状の切欠部を有する頭頂部４ａを設ける。次に図９を参照して、隅傘木６の縦コーナー材４との嵌合面側に側壁１ａ、１ｂの頭頂部と同幅の溝６ａと縦コーナー材４の頭頂部４ａと同幅の溝６ｂを設ける。そして側壁１ａ、１ｂの頭頂部を溝６ａに、縦コーナー材４の頭頂部４ａを溝６ｂに嵌入することで嵌合する。
なお隅傘木６は、木材の導管が、湯水の接する面６ｄと平行に走るような材料取りをして加工する。
【００３０】
また図９に示すように、隅傘木６の縦コーナー材４との嵌合面側には木製槽体１０の長手方向、短手方向に、断面視コ字状で内径が溝６ａと同一であり中央部にネジ穴６ｅを有する出っ張り部分６ｃを設けている。そしてネジ穴６ｅに木ネジ等のネジを螺合することで、隅傘木６と側壁１ａ、１ｂとの固定を強固に行うことができる。また図８、図９に示す隅傘木６の縦コーナー材４との嵌合面側に設けた溝６ｂに縦コーナー材４の頭頂部４ａを嵌入して縦コーナー材４と隅傘木６との嵌合を行う構成としているので、ネジ穴６ｅに木ネジ等のネジを螺合することで隅傘木６と側壁１ａ、１ｂと縦コーナー材４との嵌合を一体として強固に行うことができる。
また木ネジ等のネジによる締付圧力により、縦コーナー材４の側壁１ａ、１ｂの接合隅部への嵌合もより強固に行われることとなり、接合隅部の水密性能を向上させることができる。
【００３１】
図１０に示すように、傘木５ａ、５ｂの側壁１ａ、１ｂとの嵌合面側には、溝５ｄの内径よりも大径で、溝５ｄよりも深い、前記隅傘木６の出っ張り部分６ｃが嵌合する溝５ｃを設けた構成とし、隅傘木６と傘木５ａ、５ｂとの接合は隅傘木６の出っ張り部分６ｃを側壁１ａ、１ｂの溝５ｃへ嵌入することで行うので、接合面が密着した状態となる。これにより隅傘木６と傘木５ａ、５ｂとの接合面へのホコリや汚れの付着が防げ、湯水等の液体の浸入を防止することができ、水垢、ヌメリ等の付着の軽減が図られ、清掃や維持管理を容易に行うことができる。
また隅傘木６と傘木５ａ、５ｂとが接合により一体化することで、木製槽体１０の頂部全周を傘木５と隅傘木６が一体となって被覆する構成となり、外観上も美しい。
【００３２】
また傘木５の溝５ｄ、隅傘木６の溝６ａの幅は側壁１の幅により自由に変えることができ、傘木５の溝５ｃの大きさ、幅は隅傘木６の出っ張り部分６ｃの大きさ、幅により自由に変えることができる。またネジ穴６ｅの数、形状等も側壁１の幅により自由に変えることができる。
【００３３】
ここで側壁対応部分の傘木５の形状は、図１１、図１３に示すように、隅傘木１６の外周面側を包む形状となるような傘木１５ａ、１５ｂとすることも可能である。このような構成とすることで、隅傘木１６の木材の導管部が外観上現れず、外観上も美しい。
【００３４】
嵌合は、図１２に示すように、傘木１５の上部で木製槽体１０の外周面側の長手方向、短手方向に側面視Ｌ字状の切欠部１６ｇを設けた隅傘木１６を、ネジ穴１６ｅに木ネジ等のネジを螺合することで側壁１ａ、１ｂに固定する。そして図１３に示すように、傘木１５の側壁１ａ、１ｂとの嵌合面側であり、溝１５ｄよりも木製槽体１０の外周面側に、側面視Ｌ字状の切欠部１５ｇを傘木１５に延長追加して、隅傘木１６の切欠部１６ｇに接合することにより行う。
このような構成とすることで、図１１に示すように、傘木１５ａの幅寸法１５ａＦと傘木１５ｂの幅寸法１５ｂＦとが異なる場合でも、隅傘木１６の切欠部１６ｇと傘木１５の切欠部１５ｇの幅を、木製槽体１０の長手方向、短手方向でそれぞれ同じものとすることで、隅傘木１６はどの隅部でも同じ形状とすることができ、加工を容易なものとすることができる。
なお図１２、図１３において、１５ｆと１６ｆ、１５ｈと１６ｈはそれぞれ同じ幅寸法とする。
【００３５】
また傘木１５の溝１５ｄ、隅傘木１６の溝１６ａの幅は側壁１の幅により自由に変えることができ、傘木１５の溝１５ｃの大きさ、幅は隅傘木１６の出っ張り部分１６ｃの大きさ、幅により自由に変えることができる。またネジ穴１６ｅの数、形状等も側壁１の幅により自由に変えることができる。
【００３６】
傘木止め９は木製槽体１０の側壁１の上部に嵌合する傘木５の嵌合溝に嵌入し、側壁１に木ネジ等で固定するものであり、傘木５の側壁１への固定を行うための部材である。図１５に示すように、傘木止め９は全体が側面視Ｔ字を横に９０度傾けた形状をしており、最上部に上端部が木製槽体１０の外周側へ出っ張るような傾斜を有する凸部９ａ、中間部に凸部９ｂ、下部にネジ穴９ｃを有する構成としている。
このように最上部の凸部９ａを木製槽体１０の外周側へ出っ張るような傾斜を有する構成としていることから、図２、図１４に示すように、側壁１、傘木５、傘木止め９が接合した場合に、傘木止め９の凸部９ａに設ける傾斜と傘木５に設ける傾斜が密着して接合する構成となり、傘木５は上方へ容易には抜けず、傘木止め９は下方へ容易には落ちない構成とすることができる。これにより傘木止め９の数や傘木止め９を側壁１に固定する木ネジや木栓等の数が少なくても、傘木５の側壁１への固定を十分に行うことができる。また傘木止め９のネジ穴９ｃを介して木ネジ等での側壁１との螺合が容易となる。
【００３７】
また傘木止め９の中間部に設けた凸部９ｂで傘木５を下方から面で支持する構成となることから、図２に示すように木製槽体１０を浴槽に使用する場合に、浴槽への出入り時に傘木５にかかる体重による荷重を、側壁１の切欠部の底面と傘木止め９の中間部に設けた凸部９ｂの上面の２面に分散して両面で傘木５を支持することとなり、傘木５のずれを防止することができる。
また下部にネジ穴９ｃを有し、木ネジや木栓等で傘木止め９を側壁１に螺合する構成としているので、ネジによる締付圧力により側壁１、傘木５、傘木止め９の接合部に、木製槽体１０の外周方向への力が加わり、側壁１、傘木５、傘木止め９が完全に固定されることになる。
【００３８】
傘木５と傘木止め９との嵌合方法は、図１、図１０に示すように、傘木５ａ、５ｂの側壁１ａ、１ｂとの嵌合面側に設けた溝５ｄの木製槽体１０の外周面側に、傘木５ａには３箇所、傘木５ｂには２箇所、傾斜を設けた切欠部５ｅを設ける。そしてこの切欠部５ｅに、図１５に示す傘木止め９の最上部に設ける凸部９ａを嵌入し、ネジ穴９ｃに木ネジ等を螺合することにより行う。勿論、傘木止め９の数は本実施例の数に限られるものではない。また傘木止め９の下部に設けるネジ穴９ｃの数も複数とすることも可能である。
また傘木止め９の凸部９ａの大きさ、幅、傾斜角度等、凸部９ｂの大きさ、幅等は側壁１、傘木５の大きさ等により自由に変えることができる。
【００３９】
本実施例における木製槽体１０の組み立てを説明する。
今、側壁１ａを２枚、側壁１ｂを２枚、底壁２を１枚、横コーナー材３を４本、縦コーナー材４を４本、傘木５ａを２本、傘木５ｂを２本、隅傘木６を４個、傘木止め９を１０個用意する。そして側壁１ａ、１ｂと底壁２を横コーナー材３、縦コーナー材４をそれぞれの凹状溝に嵌合した状態で木ネジ等で締め付け、接合する。次に隅傘木６を縦コーナー材４に嵌合し木ネジ等で締め付け、接合する。次に傘木止め９を傘木５と組み合わせたまま側壁１の所定位置に嵌入して、傘木５を側壁１に接合した後、木ネジ等で傘木止め９を側壁１に固定することで木製槽体１０が完成する。
【産業上の利用可能性】
【００４０】
湿式浴室及びユニットバス対応の木製浴槽、その他の液体貯蔵タンク等に用いることができる。
【図面の簡単な説明】
【００４１】
【図１】本考案の実施形態を示す木製浴槽の斜視図である。
【図２】図１のＡ−Ａ断面図である。
【図３】横コ−ナ−材の寸法関係を説明する側面図である。
【図４】側壁と底壁が接合する接合隅部の凹状溝付近の部分断面図である。
【図５】図２のＤ部の拡大図である。
【図６】図１のＢ部の拡大斜視図である。
【図７】側壁と縦コーナー材との斜視図である。
【図８】縦コーナー材の頭部斜視図である。
【図９】隅傘木の裏面斜視図である。
【図１０】傘木の裏面斜視図である。
【図１１】傘木と隅傘木との組み合わせの変形例を示す斜視図である。
【図１２】変形例における隅傘木の斜視図である。
【図１３】変形例における傘木の裏面斜視図である。
【図１４】図１のＣ部拡大断面斜視図である。
【図１５】傘木止めの斜視図である。
【図１６】従来の木製槽体の斜視図である。
【符号の説明】
【００４２】
１    側壁
２    底壁
３    横コ−ナ材
４    縦コ−ナ材
５    傘木
６    隅傘木
７    締付金具
８    パッキン
９    傘木止め
１０  木製槽体
２０  凹状溝
【図１】
0003126724.tif 000003
【図２】
0003126724.tif 000004
【図３】
0003126724.tif 000005
【図４】
0003126724.tif 000006
【図５】
0003126724.tif 000007
【図６】
0003126724.tif 000008
【図７】
0003126724.tif 000009
【図８】
0003126724.tif 000010
【図９】
0003126724.tif 000011
【図１０】
0003126724.tif 000012
【図１１】
0003126724.tif 000013
【図１２】
0003126724.tif 000014
【図１３】
0003126724.tif 000015
【図１４】
0003126724.tif 000016
【図１５】
0003126724.tif 000017
【図１６】
0003126724.tif 000018
【手続補正書】
【提出日】平成18年9月1日(2006.9.1)
【手続補正１】
【補正対象書類名】実用新案登録請求の範囲
【補正対象項目名】全文
【補正方法】変更
【補正の内容】
【実用新案登録請求の範囲】
【請求項１】
側壁と底壁とで構成する木製槽体であって、槽体内部の側壁と側壁、側壁と底壁とが接合するそれぞれの壁の接合隅部に、該接合隅部に形成される直角形状を解消するコーナー材を接合したことを特徴とする木製槽体。
【請求項２】
接合隅部の２枚の壁が接合する部分に凹状溝を形成し、該凹状溝に対して槽体内部に現れる接合隅部の形状が滑らかな面となるコーナー材をパッキンと組み合わせて嵌合させ、前記凹状溝を形成した位置とは別の位置で、側壁と側壁、側壁と底壁とを止め金具で固定することにより前記接合隅部を水密に組み立てたことを特徴とする請求項１に記載の木製槽体。
【請求項３】
側壁に側壁頂部を覆う傘木を設けると共に、縦コーナー材の頂部を覆う隅傘木を設け、且つ前記傘木と隅傘木とを相互に嵌め合わせて一体化してあることを特徴とする請求項１又は２に記載の木製槽体。
【請求項４】
傘木には、側壁と嵌合される溝を設けると共に、上部に突起を有する傘木止めを嵌入する溝を設け、前記傘木止めを嵌合した傘木を側壁の上部に嵌合し、且つ傘木止めを木ネジ等の止め金具で側壁に固定することにより傘木を固定していることを特徴とする請求項３に記載の木製槽体。
【手続補正２】
【補正対象書類名】明細書
【補正対象項目名】０００７
【補正方法】変更
【補正の内容】
【０００７】
また本考案の木製槽体は、上記第１、第２の特徴に加えて、側壁に側壁頂部を覆う傘木を設けると共に、縦コーナー材の頂部を覆う隅傘木を設け、且つ前記傘木と隅傘木とを相互に嵌め合わせて一体化してあることを第３の特徴としている。
【手続補正３】
【補正対象書類名】明細書
【補正対象項目名】０００８
【補正方法】変更
【補正の内容】
【０００８】
また本考案の木製槽体は、上記第３の特徴に加えて、傘木には、側壁と嵌合される溝を設けると共に、上部に突起を有する傘木止めを嵌入する溝を設け、前記傘木止めを嵌合した傘木を側壁の上部に嵌合し、且つ傘木止めを木ネジ等の止め金具で側壁に固定することにより傘木を固定していることを第４の特徴としている。
【手続補正４】
【補正対象書類名】明細書
【補正対象項目名】００１３
【補正方法】変更
【補正の内容】
【００１３】
請求項４に記載の木製槽体によれば、傘木には、側壁と嵌合される溝を設けると共に、上部に突起を有する傘木止めを嵌入する溝を設け、前記傘木止めを嵌合した傘木を側壁の上部に嵌合し傘木を固定する構成としているので、傘木止めがある部分では、傘木の溝に傘木止めと側壁の上端部とが一体となって嵌入した状態で嵌合することができ、傘木と側壁との接合をより強固に行うことができる。また傘木止めを木ネジ等の止め金具で側壁に固定することで傘木を固定する構成としていることから傘木と側壁と傘木止めとの嵌合による固定に加えて、傘木と側壁と傘木止めとの嵌合部にも締付圧力が加わり、傘木と側壁との接合を更に強固にすることができる。